(57)【要約】      （修正有）【課題】異なる曲度及び弾力的な伸縮性を持つシームレス補正インナーを提供する。【解決手段】円編み式主体１０があり、円編み式主体１０には一つ着用空間があり、内側に収縮する収縮部２０が円編み式主体１０の中段位置に形成し、補正インナーに砂時計状にならせる構造である、２つ着用部３０を円編み式主体１０の上下両側に形成し、収縮部２０は異なる編み方法で弾力的な伸縮性を両着用部の弾力的な伸縮性より大きくさせ、また収縮部２０によって躯体の予定位置に引き締めるのに強化でき、更に単一補正インナー製品の形態の前提で、コルセットのような引き締め補正効果を達することが出来るのである。【選択図】図２
0003197195.tif 000002
【実用新案登録請求の範囲】
【請求項１】
一種異なる曲度及び弾力的な伸縮性を持つシームレス補正インナーであり、その中、円編み式主体１０は複数線材１１を円状の順でシームレスな部分を編み出し、円編み式の砂時計状のインナー形態になる、該円編み式主体１０には着用空間１２があり、ユーザーに該円編み式主体１０をユーザーの腰・腹の位置に着るのである、
一つ内側に収縮する収縮部２０が該円編み式主体１０の中段位置に形成し、及び２つ着用部３０を円編み式本体１０の上下両側に形成し、該着用部３０は異なる編み方法を用い、該線材１１の編み張力を該収縮部２０より低くさせ、その方法で該着用部３０の弾力的な伸縮性を下げてから、該着用部３０は収縮部２０より拡張形態になるのである。
【請求項２】
請求項１で述べた異なる曲度及び弾力的な伸縮性を持つシームレス補正インナーのように、該円編み式主体１０の編み針数は収縮部２０から両着用部３０に漸減するのである。
【請求項３】
請求項１で述べた異なる曲度及び弾力的な伸縮性を持つシームレス補正インナーのように、該円編み式主体１０の横糸の編み長は収縮部２０から両着用部３０に漸増するのである。
【請求項４】
請求項１・２或いは３で述べた異なる曲度及び弾力的な伸縮性を持つシームレス補正インナーのように、該円編み式主体１０には少なくとも一つ着用側に伸ばした履き着用部４０を形成する必要があり、該履き着用部４０は編み予定する補正インナー或いは補正パンツのどちらかの形態である。
【考案の詳細な説明】
【技術分野】
【０００１】
本考案は一種の補正インナーであり、特に異なる編み張力によって異なる曲度及び弾力的な伸縮性を持つ新しい補正インナー構造である。
【背景技術】
【０００２】
一般的に年齢の重ね或いは出産した後の女性の大半には小腹突出しやすく、腰部肥満などの困惑があり、スリムな身体曲線を保つため、多くの女性は補正インナーなどの束縛タイプの補正製品を利用し、腰・腹などの躯体部位に束縛で補正効果を達するのである。
【０００３】
周知の補正インナーには補正効果を得られるが、該機能性に対しては突破し改良できるところがある。それは周知の補正インナーの大半は同じ編み張力より形成した弾力性且つ単一円筒径の円筒状形態であり、補正インナーに単一弾力的な伸縮性しか待てず、そのため、補正インナーをユーザーの躯体に着る際、束縛力は存在するが、補正効果は理想に達さない欠点があり、特定な部位に対する強化補正をできないのである。又、補正効果を増やすためにはもう一つコルセットを着用し、コルセットの調整縄を縛ることによって、躯体の局部の補正を強化することに達するのである。上記の状況から、周知の補正インナー製品の機能性は実際の使用需要に満足していないことを分かるのである。
【０００４】
上述した周知構造にある問題点に対し、どのように更なる実用性のある新しい構造を開発していくことはユーザーが望み、また関連業者が努力して研究開発する目標及び方針でもある。
【０００５】
そのため、考案者が多年に亘ってこの関連製品の生産開発や設計経験を用いて、上述した目標に対し、設計や慎重な評価をした後、確実に実用性のある考案を提出するのである。
【考案の概要】
【考案が解決しようとする課題】
【０００６】
本考案の目的は一種異なる編み張力によって異なる曲度及び弾力的な伸縮性のあるシームレス補正インナーであり、解決すべき問題点はどのように更なる実用性のある新型タイプを目標に改良できる研究開発していくことである。
【課題を解決するための手段】
【０００７】
本考案は一種の補正インナーに、一つ円編み主体が複数線材に円状の順でシームレスな部分を編み出した円編み式の砂時計状のインナー形態であり、該円編み主体には一つ着用空間があり、ユーザーが着用の際に該円編み主体を少なくともユーザーの躯体の腰・腹の位置に着られるよう提供し、一つ内側に収縮する収縮部が該円編み式主体の中段位置に形成し、及び２つ着用部を円編み式本体の上下両側に形成し、該着用部は異なる編み方法を用い、該線材の編み張力を該収縮部より低くさせ、その方法で該着用部の弾力的な伸縮性を下げてから、該着用部は収縮部より拡張形態になるのである。
【０００８】
この独特な新しい構造を用いて、本考案は該円編み主体がユーザーの躯体に着用する際、該収縮部によってポイント的に躯体の予定位置に引き締め、更に単一補正製品の形態且つ手動での引き締め調整の必要の無い前提で、コルセットのような引き締め機能や補正効果を持ち、大幅に補正効果・製品の付加価値及び利便性などの実用効果を上げていくのである。
【０００９】
図１〜４で示すのは、本考案の異なる曲度及び弾力的な伸縮性を持つシームレス補正インナーのより良い実施例であり、この実施例は説明に用いられ、特許の申請上にはこの構造に限らないのである、該コルセット０５には、一つ円編み主体１０があり、複数線材１１（図３のように）を円状の順でシームレスな部分を編み出した円編み円筒状形態になり、該円編み式主体１０には着用空間１２（図１のみ表示）があり、ユーザーに該円編み式主体１０をユーザーの腰・腹の位置に着られ、またはお尻の上部分にも着られるのである、内側に収縮する収縮部２０が該円編み式主体１０の中段位置に形成し、該収縮部２０は編みの際に横向き線材１１の編み針数を増やし、或いは横向き線材１１の編み長を短縮させ、円編み主体１０の中間部分の弾力的な伸縮性を上げていき、該収縮部２０を内側に引き締める縮径形態にならせるのである、２つ着用部３０を円編み式本体１０の上下両側に形成し、該着用部３０の線材１１の編み張力を該収縮部２０より低くさせ、その方法で該着用部３０の弾力的な伸縮性を下げてから、該着用部３０は収縮部２０より拡張形態になるのである。
【００１０】
該収縮部２０や着用部３０に線材１１の異なる編み張力を用いて構成した構造によって、該円編み主体１０に伸ばしていない状態で異なる曲度及び弾力的な伸縮性を持つことにするのである。
【００１１】
図２・４で示すように、該円編み主体１０をユーザーの躯体（図４の標しＡのように）に着られる際、該収縮部２０によって躯体の腰部に引き締め、または該着用部３０の弾力的な伸縮性は該収縮部２０より低く、そのため、腰部の引き締め力だけが特別に強く、周知単一弾力的な伸縮性及び円筒形態のコルセットと比べ、本考案は単一コルセット０５形態で且つ手動で引き締め調整の必要の無い機能を前提に、コルセットのような引き締め機能や補正効果を持ち、補正などの実用効果を上げていくのである。
【００１２】
又、本考案で実施した該円編み主体１０は上から下への一体編みであり、且つ上の着用部３０から収縮部２０への編みは線材１１の編み張力を漸増し、収縮部２０から下の着用部３０への編みは線材１１の編み張力を漸減し、該円編み主体１０の曲度を漸進した滑らかな形態を構成していくのである。
【００１３】
この他、本考案の円編み主体１０の実施上では、少なくても一つ着用部３０から伸ばして履き着用部４０を形成するようにし、該履き着用部４０は編み予定する補正パンツ（図５のように、レギンスの形態で例を挙げたが、この限りではない）或いは補正インナー（図６のように、下着の形態で例を挙げたが、この限りではない）のどちらかの形態であり、ユーザーに着用後での躯体のその他部位に対する補正効果を持ち、例えば履き着用部４０は補正パンツの形態である場合、太腿・お尻など下半身躯体の補正を強化し、また履き着用部４０は補正インナーの形態である場合、胸など上半身躯体の補正を強化し、使用の利便性及び多様性を大幅に上げていくのである。
（効果の説明）
本考案に掲示した“異なる曲度及び弾力的な伸縮性を持つシームレス補正インナー”は主に円編み式主体が内側に収縮する収縮部及び着用部で構成した新しい構造であり、本考案は背景技術と比べ、線材の異なる編み張力で構成した異なる弾力的な伸縮性の収縮部及び着用部を構成し、該円編み式主体をユーザーの躯体に着用する際、該収縮部より躯体の予定位置に引き締めるのに強化し、更に単一補正インナー製品の形態でコルセットのような引き締め補正効果を持ち、一体多用の効果を達し、補正効果・製品の付加価値及び利便性など実用的な効果を上げていくのである。
【００１４】
上述した実施例に掲示されたのは、具体的に本考案を説明するために用いられる内容であり、文の中で専門用語で説明してきたが、それらを以って、本考案の特許請求範囲を制限してはならず、当該技術の分かる者が、本考案の考えやコンセプトを理解したうえ、それらの変更や改造を行って、それと同等な効果を得たとしても、それらの変更や改造は全て、後述の実用新案登録請求の範囲に含まれるものとする。
【図面の簡単な説明】
【００１５】
【図１】本考案の立体図
【図２】本考案の円編み式主体が伸ばしていない状態の平面図
【図３】本考案の円編み式主体の線材編み形態の局部拡大図
【図４】本考案の使用状態イメージ図
【図５】本考案の着用部から編み伸ばして履き着用部を形成した実施形態の平面図
【図６】本考案の着用部から編み伸ばして、履き着用部を形成したもう一つの実施形態の平面図
【符号の説明】
【００１６】
０５      コルセット
１０      円編み式本体
１１      線材
１２      着用空間
２０      収縮部
３０      着用部
４０      履き着用部
【図１】
0003197195.tif 000003
【図２】
0003197195.tif 000004
【図３】
0003197195.tif 000005
【図４】
0003197195.tif 000006
【図５】
0003197195.tif 000007
【図６】
0003197195.tif 000008
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
円編み式主体（１０）、収縮部（２０）及び２つの着用部（３０）を含む、異なる曲度及び弾力的な伸縮性を持つシームレス補正インナーであって、
前記円編み式主体（１０）は、複数線材（１１）を円状のシームレス部分に編んで得た円編み式砂時計状のインナー形態を有し、該円編み式主体（１０）には着用空間（１２）が形成され、該着用空間（１２）は該円編み式主体（１０）をユーザーの腰・腹の位置に着せるためのものであり、
前記収縮部（２０）は、内側に収縮される形態を有するとともに前記円編み式主体（１０）の中段位置に形成され、
前記２つの着用部（３０）は、前記円編み式本体（１０）の上下両側に形成され、該着用部（３０）は、前記円編み式主体（１０）の編み方法と異なる編み方法を用いることにより、前記線材（１１）の編み張力を前記収縮部（２０）より低くし、かつ該着用部（３０）の弾力的な伸縮性を下げることにより、該着用部（３０）が前記収縮部（２０）より拡張形態になるようにする、ことを特徴とする異なる曲度及び弾力的な伸縮性を持つシームレス補正インナー。
【請求項２】
前記円編み式主体（１０）の編み針数は前記収縮部（２０）から前記２つの着用部（３０）に向かって漸減する、ことを特徴とする請求項１に記載の異なる曲度及び弾力的な伸縮性を持つシームレス補正インナー。
【請求項３】
前記円編み式主体（１０）の横糸の編み長は前記収縮部（２０）から前記２つの着用部（３０）に向かって漸増する、ことを特徴とする請求項１に記載の異なる曲度及び弾力的な伸縮性を持つシームレス補正インナー。
【請求項４】
前記円編み式主体（１０）には着用側に延伸した少なくとも１つの履き着用部（４０）が形成され、該履き着用部（４０）は予め編んで得た補正インナー或いは補正パンツである、ことを特徴とする請求項１、２及び３のうちいずれか一項に記載の異なる曲度及び弾力的な伸縮性を持つシームレス補正インナー。